(57)【特許請求の範囲】
【請求項１】
単数、あるいは複数いずれかのドングリ状種子を、鏃状部を先端に一体的に持つ矢状棒体の、外部に通ずる発根域を有したその種子保持部に、固定的に内設、保持させ、
この矢状棒体を、その鏃状部から植生基盤に差し込み、この矢状棒体の全長のうちの所定長を植生基盤中に埋設することにより、種子保持部内のドングリ状種子を、植生基盤中の、地面からの所定深さに、この矢状棒体と共に直播するドングリ状種子の播種方法。
【請求項２】
ドングリ状種子を保持するに足りる厚みを有した弾性部材としてなるサポートプレートの保持孔に、ドングリ状種子をその挿入のもとで固定的に嵌着し、このサポートプレートを矢状棒体の種子保持部に固定的に内設することにより、ドングリ状種子を種子保持部に固定的に保持させる請求項１記載のドングリ状種子の播種方法。
【請求項３】
種子保持部に内設、保持させるドングリ状種子の数が複数であり、この複数のドングリ状種子を、矢状棒体の軸線に沿った方向、あるいは軸線に対する直交方向のいずれかに整列、並置させた請求項１または２記載のドングリ状種子の播種方法。
【請求項４】
その発根箇所を鏃状部側に向けて、ドングリ状種子を種子保持部に保持させた請求項１ないし３のいずれか記載のドングリ状種子の播種方法。
【請求項５】
植生基盤に差し込み可能な剛性を持つ棒状体としてなり、
先端の尖った鏃状部と；外部に通ずる発根域を有し、単数、あるいは複数いずれかのドングリ状種子を、その内部に固定的に配設、保持可能とした種子保持部と；を、その軸線上に一体的に有して形成された矢状棒体。
【請求項６】
種子保持部が、平面略放射方向に弾性的に拡開可能な複数の挟持片からなり、ドングリ状種子をその内部に介在させた後におけるこの挟持片間を、外部に通ずる発根域として規定、形成可能とした請求項５記載の矢状棒体。
【請求項７】
ドングリ状種子の挿着、嵌着の可能な単数の保持孔を有したサポートプレートが、ドングリ状種子を保持するに足りる厚みを有したプレート状の弾性部材として、矢状棒体とは別に形成されるとともに、
ドングリ状種子の嵌着されたこのサポートプレートを、種子保持部に固定的に内設させることによって、ドングリ状種子を種子保持部に一体的に内設、保持可能とした請求項５または６記載の矢状棒体。
【請求項８】
単数の保持孔を有したサポートプレートを、種子保持部の軸線に沿った方向に、複数段で分離内設可能とし、対応数のドングリ状種子を、サポートプレートの保持孔にそれぞれ嵌着させることによって、複数のドングリ状種子を種子保持部に一体的に内設、保持可能とした請求項５ないし７のいずれか記載の矢状棒体。
【請求項９】
ドングリ状種子の挿着、嵌着の可能な複数の保持孔を有したサポートプレートが、ドングリ状種子を保持するに足りる厚みを有したプレート状の弾性部材として、矢状棒体とは別に形成されるとともに、
ドングリ状種子の嵌着されたこのサポートプレートを、種子保持部に固定的に内設することによって、複数のドングリ状種子を種子保持部に一体的に内設、保持可能とした請求項５または６記載の矢状棒体。
【発明の詳細な説明】
【０００１】
【発明の属する技術分野】
この発明は、木本類等の、ドングリ状の大型の種子を所定の植生基盤に播種するドングリ状種子の播種方法、および、ドングリ状種子の播種に使用する矢状棒体に関する。
【０００２】
【従来の技術】
たとえば、切土や盛土等の傾斜面（法面）に植物の生育可能な植生基盤（緑化基盤ともいう）を造成し、この植生基盤に草本類、あるいは木本類の植物を人工的に植栽することによってこれらの植生による法面の緑化をはかる、いわゆる法面緑化が、その法面の景観の向上、環境保全、および自然保護等の観点から広く推進されている。
【０００３】
ところで、法面緑化に用いられる草本類、あるいは木本類の植物の植栽は、通常、その種子の播種、あるいは苗木の植え付けにより行われる。
【０００４】
ここで、この木本類の種子の多くは、ドングリ等と称される大型の種子、つまりドングリ状種子である。しかし、このようなドングリ状種子は、たとえばカケス等の鳥類、あるいは野ねずみ、リス等の小動物類のエサとなり得るものであることから、このドングリ状種子を植生基盤に人工的に播種しても、これら鳥類、小動物類等による食害により、ドングリ状種子の発芽率は15〜23％程度と著しく低いものとなっている。
【０００５】
ドングリ状種子の播種によれば、その種子の子葉に多くの脂肪やデンプン等が蓄えられることから、発芽当年における大型の稚樹の完成が可能となる。つまり、このドングリ状種子の播種は、その根系の生長による植生基盤、つまりは法面の補強を目的とするものであるため、このドングリ状種子の発芽率が低いと、植生基盤の補強が迅速になされない、あるいは十分になされない場合も起り得る。
【０００６】
【発明が解決しようとする課題】
ここで、このような鳥類、小動物類等による食害対策の一つとして、たとえば、ドングリ状種子から育てられた木本類の苗木を、植生基盤に植栽する手法が採用されている。しかし、このような苗木は、ドングリ状種子そのものに比べると高価であり、また、その植栽作業の煩雑化をも伴いやすいため、苗木の植栽による工法自体がコスト高となることは避けられない。
【０００７】
また、ある程度まで育てられた後に植生基盤に移植、植栽された苗木からの根系の生長度合いは、その植生基盤においてドングリ状種子から生長した根系に比較して劣ることは避けられない。つまり、苗木の根系が、木本類の植栽の目的である植生基盤の補強材として機能するまでにはそれ相応の時間を要するため、ドングリ状種子の播種からの根系の生長に比較すると、その時間的不利は免れない。
【０００８】
このような点から、木本類の植栽においては、ドングリ状種子の播種が望ましいとされ、ドングリ状種子の播種を前提とした鳥類、小動物類等からの食害対策としては、直播したドングリ状種子回りを竹筒で覆う、いわゆる竹筒工法が提案された。
【０００９】
この竹筒工法においては、たとえば、内径70mm程度、長さ300mm程度の竹筒が使用され、植生基盤に直播した所定数、たとえば３粒程度のドングリ状種子を囲うように、この竹筒は、たとえばその長さの1/3程度の埋設を伴って植生基盤に設置される。
【００１０】
この竹筒工法によれば、ドングリ状種子が、この竹筒によってその外部と確実に隔離されるため、鳥類、および小動物類等からの保護が確実に行われる。このことは、従来通りの直播によるドングリ状種子の播種では15〜23％であった発芽率が、この竹筒工法によって70％程度まで上昇したという実験結果においても実証されている。
【００１１】
しかしながら、この竹筒工法において使用される竹筒は、ドングリ状種子の芽の生長を考慮した、たとえば70mm程度の内径を持つものとなっており、更には、この70mm程度の空間を持ってドングリ状種子の回りを囲っているにすぎないため、竹筒内に小動物類等が侵入する虞れも否定はできない。このような竹筒内部への小動物類等の侵入のもとでは、竹筒による隔離効果が全く機能しなくなることから、この竹筒工法においてはこの点の改善が必要になると考えられる。
【００１２】
また、植生基盤への竹筒の埋設、配置は容易でなく、場合によっては事前に孔を掘削しておくこと、あるいは播種後の覆土等も要求されるため、この竹筒工法は、その播種作業の工程増加、および煩雑化等を伴いやすい。
【００１３】
そして、このような竹筒工法においては、その回りを囲う竹筒が、ドングリ状種子からの芽、茎の生長の妨げとなることが容易に考えられる。この場合、芽、茎の生長に合わせて竹筒を除去すれば足りるが、このような作業工程の追加はその作業性から考えて好ましいものとはいえない。
【００１４】
この発明は、播種作業の作業性の低下、およびその後の作業の追加等を伴うことなく、鳥類、小動物類等による食害に対する高い防止効果を得るドングリ状種子の播種方法、およびこの播種方法での使用に適した矢状棒体の提供を目的としている。
【００１５】
【課題を解決するための手段】
この目的を達成するために、この発明の請求項１に示すドングリ状種子の播種方法においては、単数、あるいは複数いずれかのドングリ状種子を、鏃状部を先端に一体的に持つ矢状棒体の、外部に通ずる発根域を有したその種子保持部に、固定的に内設、保持させる。そして、この矢状棒体を、その鏃状部から植生基盤に差し込み、この矢状棒体の全長のうちの所定長を植生基盤中に埋設することにより、種子保持部内のドングリ状種子を、植生基盤中の、地面からの所定深さに、この矢状棒体と共に直播するものとしている。
【００１６】
また、この発明の請求項２に示すドングリ状種子の播種方法においては、ドングリ状種子を保持するに足りる厚みを有した弾性部材としてなるサポートプレートの保持孔に、ドングリ状種子をその挿入のもとで固定的に嵌着し、このサポートプレートを矢状棒体の種子保持部に固定的に内設することにより、ドングリ状種子を種子保持部に固定的に保持させるものとしている。
【００１７】
更に、この発明の請求項３に示すドングリ状種子の播種方法においては、種子保持部に内設、保持させるドングリ状種子の数を複数とし、この複数のドングリ状種子を、矢状棒体の軸線に沿った方向、あるいは軸線に対する直交方向のいずれかに整列、並置させるものとしている。
【００１８】
また、この発明の請求項４に示すドングリ状種子の播種方法においては、その発根箇所を鏃状部側に向けて、ドングリ状種子を種子保持部に保持させている。
【００１９】
そして、この発明の請求項５に示す矢状棒体は、植生基盤に差し込み可能な剛性を持つ棒状体としてなっている。そして、先端の尖った鏃状部と、外部に通ずる発根域を有し、単数、あるいは複数いずれかのドングリ状種子を、その内部に固定的に配設、保持可能とした種子保持部とを、その軸線上に一体的に有して形成されたものとして、この矢状棒体は構成されている。
【００２０】
また、この発明の請求項６に示す矢状棒体においては、種子保持部が、平面略放射方向に弾性的に拡開可能な複数の挟持片からなっている。そして、ドングリ状種子をその内部に介在させた後におけるこの挟持片間を、外部に通ずる発根域として規定、形成可能としている。
【００２１】
更に、この発明の請求項７に示す矢状棒体においては、ドングリ状種子の挿着、嵌着の可能な単数の保持孔を有したサポートプレートが、ドングリ状種子を保持するに足りる厚みを有したプレート状の弾性部材として、矢状棒体とは別に形成されている。そして、ドングリ状種子の嵌着されたこのサポートプレートを、種子保持部に固定的に内設させることによって、ドングリ状種子を種子保持部に一体的に内設、保持可能としている。
【００２２】
また、この発明の請求項８に示す矢状棒体においては、単数の保持孔を有したサポートプレートが、種子保持部の軸線に沿った方向に、複数段で分離内設可能としている。そして、対応数のドングリ状種子を、サポートプレートの保持孔にそれぞれ嵌着させることによって、複数のドングリ状種子を種子保持部に一体的に内設、保持可能としている。
【００２３】
更に、この発明の請求項９に示す矢状棒体においては、ドングリ状種子の挿着、嵌着の可能な複数の保持孔を有したサポートプレートが、ドングリ状種子を保持するに足りる厚みを有したプレート状の弾性部材として、矢状棒体とは別に形成されている。そして、ドングリ状種子の嵌着されたこのサポートプレートを、種子保持部に固定的に内設することによって、複数のドングリ状種子を種子保持部に一体的に内設、保持可能としている。
【００２４】
【発明の実施の形態】
以下、図面を参照しながらこの発明の実施の形態について詳細に説明する。
【００２５】
この発明に係るドングリ状種子の播種方法においては、たとえば、図１、図２に示すような矢状棒体10が使用される。そして、この発明に係る矢状棒体10は、その種子保持部12でドングリ状種子14を固定的に内設、保持するように構成されている。
【００２６】
この矢状棒体10は、先端の尖った鏃状部16と、ドングリ状種子14を囲って保持可能な種子保持部12とをその軸線上に一体的に有する、植生基盤18に差し込み可能な剛性を少なくとも持った棒状体として形成されている。
【００２７】
ここで、矢状棒体10としては、たとえば、20〜50cm程度で、ドングリ状種子14の外径よりその内径の十分に小さい比較的硬質な中空棒材、たとえば竹材が利用できる。このような、竹材からなる矢状棒体10においては、その一端を鋭角に切り落とすことによって、先端の尖った鏃状部16が形成される。
【００２８】
この発明の実施の形態においては、矢状棒体の種子保持部12が、平面略放射方向に弾性的に拡開可能な複数の挟持片20の組み合わせとして、先端の鏃状部16の後方、つまり鏃状部を図中下方に向けて配した状態でのその上方に規定、形成されている。竹材からなる、この発明の実施の形態での矢状棒体10においては、鏃状部16の形成された一端に対する他端側の、たとえば全長の2/3程度を平面の略放射方向で略４分割することにより、この種子保持部12が形成されている。
【００２９】
なお、このように、竹材を平面略４分割する場合においては、その下方位置に、割れ止めのテーピング22を施すことが好ましい。しかし、竹材の過剰な割れが防止できれば足りるため、テーピング22に限定されず、たとえば、紐の結束や針金の巻装等を施すものとしてもよい。
【００３０】
このように形成された種子保持部の挟持片20は、弾性的な拡開変形の可能なものであるため、図示のように、この各挟持片間にドングリ状種子14を挿入、介在させることにより、そのドングリ状種子を、その弾性、つまり拡開に反する復元力となる所定の保持力のもとで種子保持部12に保持することが可能となる。
【００３１】
ここで、図１、図２に示すように、ドングリ状種子14は、たとえば、発根、および発芽の箇所（発根箇所）となるその尖った部分14aを下方、つまりは矢状棒体の鏃状部16側に向けて種子保持部12に配置される。
【００３２】
そして、この場合においては、ドングリ状種子の発根箇所14aから発根した根系24、および発芽した芽26を種子保持部12の外部、ひいては矢状棒体10の外部に伸長、生長させるための外部に通ずる発根域が、この発根箇所の回りに要求される。しかし、この実施の形態のように、ドングリ状種子14の外径より十分に小さい内径を持つ竹材を、平面略４等分に割いて形成した挟持片20からなる種子保持部12であれば、ドングリ状種子の挿入に伴った各挟持片の拡開により形成された、ドングリ状種子の下方に位置する隙間28が、その発根域として機能することから、このような構成であれば、ドングリ状種子の挟持、保持と同時に、この発根域の形成、確保が容易にはかられる。
【００３３】
この発明のドングリ状種子の播種方法においては、ドングリ状種子14を種子保持部12に保持させた、図２のような矢状棒体10が必要数だけ予め用意される。そして、この矢状棒体10を、植生基盤18に対して鏃状部16から差し込み、図１に示すように、この矢状棒体の全長のうちの所定長を植生基盤中に埋設することにより、種子保持部12内のドングリ状種子14を、植生基盤中の、地面18aからの所定深さに、この矢状棒体と共に直播するものとしている。
【００３４】
なお、ドングリ状種子14の直播される地面18aからの所定深さとしては、たとえば10〜50mm程度が例示できる。
【００３５】
この発明のドングリ状種子の播種方法によれば、ドングリ状種子14が矢状棒体の種子保持部12に固定的に内設、保持されていることに加えて、このドングリ状種子は４分割によりなる挟持片20により間断を介して囲われているため、たとえ鳥類、小動物類等がこのドングリ状種子14を掘り起こそうとしても、矢状棒体の存在そのものにより、その掘り起こし、および抜き取りはきわめて困難なものとなる。つまり、鳥類、小動物類等による食害から、ドングリ状種子14を保護することが十分に可能となるため、その発芽率の上昇が確実に望めるものとなる。
【００３６】
また、この発明においては、発根域（隙間）28、あるいはその上方の開放された矢状棒体の種子保持部12に、ドングリ状種子14を固定的に保持させたにすぎない。つまり、ドングリ状種子14からの根系24、および芽26は、種子保持部12の外部、ひいては矢状棒体10の外部に伸長、生長されるため、発根、発芽後におけるその除去を行わなくとも、この矢状棒体が根系、および芽の生長の妨げとなることはない。つまり、根系24、および芽26の生長後における除去作業が不要となることから、その作業性が確実に向上される。
【００３７】
なお、この発明の実施の形態における、矢状棒体の種子保持部12は、平面略放射方向に拡開変形可能な挟持片20の組み合わせとしてなるため、芽26等の生長に応じた拡開変形が適宜得られる。つまり、その生長に応じた変形が可能であるため、この点からも、この矢状棒体10がドングリ状種子14からの根系24、および芽26の生長の妨げとなることは十分に防止される。
【００３８】
また、矢状棒体10をその鏃状部16から植生基盤18に差し込めば足りるため、その播種作業の作業性が確実に向上される。
【００３９】
そして、この発明においては、ドングリ状種子14自体が、矢状棒体10によって補強、保護されているため、発芽時、および若葉時等における風害、あるいは水害に対する抵抗力が確実に得られる。つまり、鳥類、小動物類等による食害のみならず、風害や水害等に抗する保護力も、これによれば十分に確保できることから、別途の対策を講じることなく、発芽後の生長率も確実に上昇される。従って、この点においても、その作業性が改善され、更にはその作業コストも十分に低減される。
【００４０】
更に、ドングリ状種子14を直播する工法であるため、ドングリ状種子からの根系24の生長度合いは、苗木からの生長度合いに比較して早く、その根系は、早期から植生基盤18の補強材として機能する。従って、機能性に優れた木本類の播種が、これによれば十分に可能となる。
【００４１】
そして、この発明の矢状棒体10によれば、上記播種方法が適切に遂行でき、この矢状棒体を使用した播種作業のみによって、鳥類、小動物類等による食害からドングリ状種子14を保護することが十分に可能となるため、作業性の向上、およびその機能性の確保が十分にはかられる。
【００４２】
なお、この発明の実施の形態においては、４分割した挟持片20によりドングリ状種子14を単純に挟持、保持する例を示しているが、必要に応じて、挟持片の外方から、ドングリ状種子回りにテーピング30を施すとよい。このような構成によれば、挟持片20からのドングリ状種子14の離脱が確実に阻止されるため、鳥類、小動物類等による食害の防止が一層確実化されるとともに、播種作業の確実性も同時に確保可能となる。
【００４３】
ここで、法面等に造成される植生基盤は、その表面を土としたものばかりでなく、たとえば、不織布やヤシ繊維製のマット、あるいは袋体等によって覆われたものもある。特に、ヤシ繊維製の袋体に植生基盤材を詰め込んでなる植生基盤においては、ドングリ状種子を植生基盤材に予め混合させておかなければならないため、播種の規則性や確実性等は期待できない。
【００４４】
しかし、この発明のドングリ状種子の播種方法において用いられる矢状棒体10は、先端の尖った鏃状部16を有しているため、マットを介して、あるいは袋体外からでも、ドングリ状種子14を植生基盤18に直播することが可能となる。つまり、この発明は、植生基盤18の態様を問わない、適応性に優れたドングリ状種子の播種方法であるといえる。
【００４５】
更に、竹筒を部分的に埋設する竹筒工法では、竹筒の部分的な埋設を可能とする切れ目を、マット、あるいは袋体等に予め入れておく必要があるが、この発明のドングリ状種子の播種方法によれば、矢状棒体の鏃状部16をマット、あるいは袋体等に直接的に突き刺せば足りるため、その作業性も確実に向上される。
【００４６】
ところで、図１、図２からもわかるように、上述したこの発明の実施の一形態においては、１個、つまり単数のドングリ状種子14を種子保持部12に直接的に保持するものとして矢状棒体10を具体化しているが、ドングリ状種子は種子保持部に固定的に内設、保持されれば足りるため、これに限定されず、図３に示すように、たとえば合成ゴム材料等からの弾性部材としてなるサポートプレート32を介して、ドングリ状種子を種子保持部に固定的に内設、保持させる構成としてもよい。
【００４７】
図４に示すように、このサポートプレート32は、ドングリ状種子14を保持するに足りる厚み、およびそのドングリ状種子をその挿入により嵌着可能とする保持孔34を有して形成され、この保持孔への挿入に伴った、サポートプレートに対するドングリ状種子の固定的な保持の後、図３に示すように、このサポートプレートを挟持片20で囲って挟持することにより、種子保持部12におけるドングリ状種子の固定的な内設、保持は可能となる。
【００４８】
なお、サポートプレート32の厚みとしては、たとえば、ドングリ状種子14の全長に対する、その1/3〜1/2程度が例示できる。
【００４９】
このような構成においても、鏃上部16からこの矢状棒体10を植生基盤18に差し込めば足りるため、その播種作業の簡単化が十分にはかられる。そして、ドングリ状種子14がサポートプレート32に固定的に嵌着され、更にこのサポートプレートが種子保持部12に固定的に保持されるため、この構成においても、鳥類、小動物類等によるドングリ状種子の掘り起こし、および抜き取りは十分に防止可能となる。
【００５０】
ここで、挟持片20間にサポートプレート32を介在、保持させた後、図３に示すように、この挟持片の上端部を、たとえばテーピング36等によって一体的に束ねれば、種子保持部12におけるサポートプレート32の固定的な保持、つまりはドングリ状種子14の固定的な内設、保持が十分、かつ容易にはかられる。
【００５１】
この実施の形態においては、ドングリ状種子14を弾性部材としてなるサポートプレート32によって保持しているため、生長に伴ったドングリ状種子の膨張等を、その弾性のみのもとで十分に保障することができる。つまり、サポートプレート32の回りを囲った挟持片20の上端部等を、テーピング36等によって強固に束ねても、ドングリ状種子14の膨張、ひいてはその根系24、および芽26の生長を妨げることはないため、このサポートプレートによってドングリ状種子を保持する構成によれば、その保持性能をより一層高めることが十分に可能となる。
【００５２】
そして、挟持片20の上端部を一体的に束ねれば、この挟持片からなる種子保持部12を固定化することができ、ひいては矢状棒体10自体の剛性をより高めることが可能となるため、植生基盤18に対するこの矢状棒体の差し込み作業、つまりはドングリ状種子の播種作業が、より一層確実化、および簡単化でき、それによって、その作業性の一層の向上が十分にはかられる。
【００５３】
なお、この発明の実施の形態においては、テーピング36により挟持片20の上端部を一体的に束ねる例を具体化しているが、これに限定されず、たとえば紐の結束や針金の巻装等のもとで、挟持片の上端部を一体的に束ねるものとしてもよい。
【００５４】
ところで、上述した実施の形態は、いずれも、種子保持部12に保持するドングリ状種子14の数を単数、つまり１個として具体化している。しかし、種子保持部12に保持するドングリ状種子14の数はこれに限定されず、たとえば、３個程度の複数としてもよい。
【００５５】
種子保持部12に複数、たとえば３個のドングリ状種子14を保持させる形態としては、たとえば、図５に示すような、矢状棒体10の軸線に沿った異段での分離配置が例示できる。
【００５６】
図６を見るとわかるように、このドングリ状種子14の異段配置においても、上述したような、単数の保持孔34を有するサポートプレート32が利用できる。そして、ドングリ状種子14の嵌着された各段のサポートプレート32を、図５に示すように、矢状棒体10の軸線に沿った方向で離間配置し、それを挟持片20で囲って挟持した後、その上端部を、たとえばテーピング36により一体的に束ねることによって、種子保持部12内での複数のドングリ状種子の固定的な保持が可能となる。
【００５７】
また、種子保持部12における、たとえば３個のドングリ状種子14の保持形態としては、この軸線に沿った異段配置に限定されず、たとえば、図７に示すような、軸線に直交する方向にドングリ状種子を並置、整列させた、いわゆる同段配置も例示できる。
【００５８】
図８を見るとわかるように、このドングリ状種子14の同段配置においては、対応数、つまり３つの保持孔38を有するサポートプレート40が、このドングリ状種子の保持に利用され、図７に示すように、このサポートプレートを挟持片20で囲って挟持した後、その上端部をテーピング36等により一体的に束ねることによって、種子保持部12内での３個のドングリ状種子の固定的な保持がはかられる。
【００５９】
この、上述した２形態のように、複数、たとえば３個のドングリ状種子14を１体の矢状棒体の種子保持部12に一体的に保持させれば、１体の矢状棒体10からの発芽率の向上がより一層期待できる。このことは、従来の直播での発芽率が15〜23％程度であったのに対し、複数のドングリ状種子14を一体の矢状棒体10に保持させて一度に播種するこの方法においてはその発芽率が70％以上に著しく上昇した、というその実験結果からも明らかとなっている。
【００６０】
たとえば、発根の確認後のような、発根、発芽の確実なドングリ状種子14を植生基盤18に播種する場合であれば、図１、あるいは図３に示すような、単数のドングリ状種子を種子保持部12に固定的に保持させてその矢状棒体10を植生基盤に差し込む播種方法で十分に足りる。しかし、発根の確認前等でのドングリ状種子14の播種の要求される場合等においては、播種したドングリ状種子14の全てが確実に発根、発芽する保障もなく、たとえ鳥類、小動物類等による食害から保護しても、ドングリ状種子そのものが死んでしまっていては、その木本類の植生は得られないため、矢状棒体10を差し込んだ箇所の全てにおける植生の繁殖が十分には期待できない。
【００６１】
しかしながら、図５、あるいは図７に示すような、１体の矢状棒体10に３個のドングリ状種子14を内設、保持させるこの実施の形態においては、その１体の矢状棒体に保持させた３個のうちの、少なくともいずれか１個のドングリ状種子が発根、発芽して更に生長すれば足りるため、矢状棒体10を差し込んだ箇所における植生の繁殖率の増加が、これによれば自ずと望めることになる。
【００６２】
従って、木本類の繁殖による植生基盤18の補強が、これによれば一層確実化される。
【００６３】
なお、この実施の形態においては、複数のドングリ状種子14の数として３個を例示している。しかし、その数はこれに限定されず、たとえば２個、あるいは４個等として、その複数を具体化してもよい。
【００６４】
ここで、上述したこの発明の実施の形態においては、矢状棒体10として竹材を例示しているが、植生基盤18に差し込み可能な程度の剛性を持ち、なおかつ、ドングリ状種子14を保持する種子保持部12の規定、形成可能な棒材であれば足りるため、竹材に限定されず、たとえば、塩ビパイプ、プラスチックパイプ、鉄パイプ等の中空の棒材、あるいはプラスチックや木材等からなる中実の棒材等から、矢状棒体を形成してもよい。
【００６５】
また、この実施の形態においては、先端を鋭角に切り落とすことで鏃状部16を形成しているが、先端の尖った鏃状部であれば足りるため、鏃状部の形状は特に限定されない。そして、鏃状部16は、棒材自体の加工により形成されたものに限定されず、たとえば別体の鏃状部を、棒材の先端に一体的に固定する構成としてもよい。
【００６６】
更に、この実施の形態においては、発根箇所14aを鏃状部16側に向けて、ドングリ状種子14を種子保持部12に配置、保持しているが、ドングリ状種子からの発根、および発芽が得られれば足りるため、これに限定されず、たとえば、発根箇所を図中横向きや上向き等にして、ドングリ状種子を種子保持部に保持させてもよい。
【００６７】
しかしながら、この発明の実施の形態のように、発根箇所14aを鏃状部16側、つまり下方に向けて配置すれば、ドングリ状種子14における根系24の生長が芽26の生長に優先される傾向にあることから、根系の生長による植生基盤18の補強が、これによれば確実化される。従って、補強の確実性に優れた播種が、この構成によれば容易に確保される。
【００６８】
また、この発明の実施の形態においては、４分割した挟持片20によりドングリ状種子14、あるいはサポートプレート32,40を挟持、保持するように、種子保持部12を形成しているが、種子保持部は、ドングリ状種子の回りを囲うことでこのドングリ状種子、あるいはサポートプレートを保持すれば足りるため、これに限定されず、他の構成、たとえば、かご状のスペース内にドングリ状種子、あるいはサポートプレートを内設、保持する等の構成としてもよい。
【００６９】
しかし、この実施の形態のような構成とすれば、構成の複雑化を伴うことなく、その保持、および根系24、芽26の生長の可能な発根域28を有する種子保持部12が形成できるため、その構成の簡素化が十分にはかられる。
【００７０】
なお、この実施の形態においては、挟持片20を平面上での４分割によりなるものとして具体化しているが、挟持片は複数であれば足りるため、これに限定されず、たとえば、平面上での２分割、あるいは３分割等により、この挟持片を形成し、これを矢状棒体10における種子保持部12としてもよい。
【００７１】
上述した実施の形態は、この発明を説明するためのものであり、この発明を何等限定するものでなく、この発明の技術範囲内で変形、改造等の施されたものも全てこの発明に包含されることはいうまでもない。
【００７２】
【発明の効果】
上記のように、この発明のドングリ状種子の播種方法によれば、ドングリ状種子が矢状棒体の種子保持部に固定的に内設、保持されているため、たとえ鳥類、小動物類等がこのドングリ状種子を掘り起こそうとしても、矢状棒体の存在そのものにより、その掘り起こし、および抜き取りはきわめて困難なものとなる。つまり、鳥類、小動物類等による食害から、ドングリ状種子を保護することが十分に可能となるため、その発芽率の上昇が確実に望めるものとなる。
【００７３】
また、この発明においては、少なくとも発根域を有する矢状棒体の種子保持部に、ドングリ状種子を固定的に保持させたにすぎない。つまり、ドングリ状種子からの根系、および芽は、種子保持部の外部、ひいては矢状棒体の外部に伸長、生長されるため、発根、発芽後におけるその除去を行わなくとも、この矢状棒体が根系、および芽の生長の妨げとなることはない。つまり、根系、および芽の生長後における除去作業が不要となることから、その作業性が確実に向上される。
【００７４】
更に、矢状棒体をその鏃状部から植生基盤に差し込めば足りるため、その播種作業の作業性が確実に向上される。
【００７５】
そして、ドングリ状種子自体が、矢状棒体によって補強、保護されているため、発芽時、および若葉時等における風害、あるいは水害に対する抵抗力が確実に得られる。つまり、鳥類、小動物類等による食害のみならず、風害や水害等に抗する保護力も、これによれば十分に確保できることから、別途の対策を講じることなく、発芽後の生長率も確実に上昇される。従って、この点においても、その作業性が改善され、更にはその作業コストも十分に低減される。
【００７６】
更に、ドングリ状種子を直播する工法であるため、ドングリ状種子からの根系の生長度合いは、苗木からの生長度合いに比較して早く、その根系は、早期から植生基盤の補強材として機能する。従って、機能性に優れた木本類の播種が、これによれば十分に可能となる。
【００７７】
そして、この発明の矢状棒体によれば、上記播種方法が適切に遂行でき、この矢状棒体を使用した播種作業のみによって、鳥類、小動物類等による食害からドングリ状種子を保護することが十分に可能となるため、作業性の向上、およびその機能性の確保が十分にはかられる。
【００７８】
また、ドングリ状種子を保持するに足りる厚みを有した弾性部材としてなるサポートプレートの保持孔に、ドングリ状種子をその挿入のもとで固定的に嵌着し、このサポートプレートを矢状棒体の種子保持部に固定的に内設することにより、ドングリ状種子を種子保持部に固定的に保持させれば、ドングリ状種子の成長を妨げることなく、種子保持部を固定化することが可能となるため、種子保持部におけるその保持性能をより一層高めることが十分に可能となる。
【００７９】
そして、種子保持部を固定化すれば、この種子保持部、ひいては矢状棒体自体の剛性をより高めることが可能となるため、植生基盤に対するこの矢状棒体の差し込み作業、つまりはドングリ状種子の播種作業が、より一層確実化、および簡単化でき、それによって、その作業性の一層の向上が十分にはかられる。
【００８０】
更に、種子保持部に内設、保持させるドングリ状種子の数を複数とすれば、１体の矢状棒体での発芽率が確実に向上するため、矢状棒体を差し込んだ箇所における植生の繁殖率の増加が、これによれば自ずと望める。
【００８１】
従って、木本類の繁殖による植生基盤の補強が、これによれば一層確実化される。
【００８２】
また、その発根箇所を鏃状部側に向けて、ドングリ状種子を種子保持部に保持させれば、ドングリ状種子における根系の生長が芽の生長に優先される傾向にあることから、根系の生長による植生基盤の補強が、これによれば確実化される。従って、補強の確実性に優れた播種が、この構成によれば容易に確保される。
【００８３】
更に、矢状棒体の種子保持部を、平面略放射方向に弾性的に拡開可能な複数の挟持片とすれば、構成の複雑化を伴うことなく、その保持、および根系、芽の生長の確実な種子保持部が形成できるため、その構成の簡素化が十分にはかられる。
【図面の簡単な説明】
【図１】この発明に係るドングリ状種子の播種方法を示す概略の正面図である。
【図２】ドングリ状種子を保持した状態における、この発明の実施の一形態に係る矢状棒体の概略斜視図である。
【図３】この発明の変形例に係る、ドングリ状種子の播種方法を示す概略の正面図である。
【図４】図３に示す変形例に使用される矢状棒体、およびサポートプレートの概略の分解斜視図である。
【図５】この発明の別の変形例に係る、ドングリ状種子の播種方法を示す概略の正面図である。
【図６】図５に示す変形例に使用される矢状棒体、およびサポートプレートの概略の分解斜視図である。
【図７】この発明の更に別の変形例に係る、ドングリ状種子の播種方法を示す概略の正面図である。
【図８】図７に示す変形例に使用される矢状棒体、およびサポートプレートの概略の分解斜視図である。
【符号の説明】
10  矢状棒体
12  種子保持部
14  ドングリ状種子
16  鏃状部
18  植生基盤
20  挟持片
32,40 サポートプレート
34,38 保持孔
【図１】
0003737736.tif 000002
【図２】
0003737736.tif 000003
【図３】
0003737736.tif 000004
【図４】
0003737736.tif 000005
【図５】
0003737736.tif 000006
【図６】
0003737736.tif 000007
【図７】
0003737736.tif 000008
【図８】
0003737736.tif 000009